(57)【特許請求の範囲】
【請求項１】
透明基材の少なくとも片面側に粘着剤を塗布した遊技機封印用シールを遊技機における封印対象部位に貼り付けることにより当該封印対象部位を封印する遊技機の封印構造であって、
遊技機封印用シールが、透明基材の長手方向に沿った一部の区間がその側縁に凹部αを有するくびれ区間Ｓαとされて、透明基材のくびれ区間Ｓαにおける側縁に沿った箇所に着色部βが帯状に連続して設けられた状態のものでありながらも、透明基材のくびれ区間Ｓαにおける幅方向中央部に着色部βが設けられていない状態のものとされることにより、
遊技機封印用シールを封印対象部位から剥がそうとした際に、遊技機封印用シールがくびれ区間Ｓαで破断しやすくするとともに、
遊技機封印用シールがくびれ区間Ｓαで破断した後の状態にあっては、着色部βを目視することにより、遊技機封印用シールがくびれ区間Ｓαで破断したことを確認しやすくし、
遊技機を構成する一の部材を他の部材に固定する固定具を留めるために前記一の部材に設けられた固定穴に嵌め込まれた状態とされて前記固定穴の奥部における前記固定具が固定された箇所を封止するための封止部材を備え、
遊技機封印用シールが、そのくびれ区間Ｓαが封止部材の上側に重なり、その長手方向両端部が前記一の部材における前記固定穴の周辺部の上側に重なる状態で貼り付けられている
ことを特徴とする遊技機の封印構造。
【請求項２】
封止部材が、その下端側から前記固定穴に挿入される筒状挿入部と、筒状挿入部の上端開口を塞ぐ蓋部とで構成されて、蓋部の中心部付近が薄肉部とされて破断されやすくするとともに、
遊技機封印用シールが、そのくびれ区間Ｓαが前記薄肉部の上側に重なる状態で貼り付けられている請求項１記載の遊技機の封印構造。
【請求項３】
封止部材が、その下端側から前記固定穴に挿入される筒状挿入部と、筒状挿入部の上端開口を塞ぐ蓋部と、蓋部の外周部から外方へ突き出るフランジ部とで構成されて、フランジ部の付根部に沿う破断溝によってフランジ部が破断されやすくするとともに、
遊技機封印用シールが、その凹部αから少なくとも前記破断溝の一部が露出する状態で貼り付けられている
請求項１又は２記載の遊技機の封印構造。
【請求項４】
凹部α及び着色部βが、透明基材の両側の側縁における対向する箇所にそれぞれ設けられている請求項１〜３いずれか１つに記載の遊技機の封印構造。
【請求項５】
遊技機封印用シールにおける凹部αの最深角部が丸く形成されている請求項１〜４いずれか１つに記載の遊技機の封印構造。
【発明の詳細な説明】
【技術分野】
【０００１】
本発明は、遊技機における封印対象部位に貼り付けることにより当該封印対象部位を封印する遊技機封印用シールと、この遊技機封印用シールを用いた遊技機の封印構造とに関する。
【背景技術】
【０００２】
遊技機は、様々な不正行為の対象となりうる。例えば、遊技機の筺体の内部には、基板ユニットが収容されており、この基板ユニットには、遊技機を制御するためのプログラムが記録された記憶装置（通常はＲＯＭ）が装着されているが、この記憶装置を偽造されたもの（いわゆる偽造ＲＯＭ）に差し替えるという不正行為が知られている。この種の不正行為を防止するため、遊技機の各メーカーは、基板ユニット等、不正行為の対象となる機器を透明なユニットカバーで覆った構造とするとともに、そのユニットカバーを閉じた箇所に遊技機封印用シール（例えば、特許文献１の図３における封印シール５０を参照。）を貼り付けることを行っている。
【０００３】
しかし、遊技機封印用シールは、それが破れない状態で綺麗に剥がすことができるものであると、それを綺麗に剥がしてユニットカバーを開け、基板ユニットのＲＯＭを偽造ＲＯＭに交換し、再びユニットカバーで閉じた後、その遊技機封印用シールを再びユニットカバーに貼り付けるといった不正行為を発見しにくくなってしまう。この種の不正行為を発見しやすくするという観点からは、遊技機封印用シールは、破れやすい脆弱な素材で形成し、それが剥がされた痕跡が残りやすくすることが好ましい。ところが、遊技機封印用シールを脆弱なものとしすぎると、それを工場等で正規に貼り付ける際（例えば、遊技封印用シールを台紙から剥がしたり封印対象部位に位置合わせしたりする際）にも破れやすくなり、遊技機封印用シールの取り扱い自体が困難になるという問題があった。
【先行技術文献】
【特許文献】
【０００４】
【特許文献１】特開２０１３−０１３７９２号公報
【発明の概要】
【発明が解決しようとする課題】
【０００５】
本発明は、上記課題を解決するために為されたものであり、封印対象部位に正規に貼り付ける際には破れにくく取り扱いが容易であるにもかかわらず、封印対象部位に貼り付けた状態から不正に剥がそうとした際には破れやすく不正行為を発見しやすい構造の遊技機封印用シールを用いた遊技機の封印構造を提供することも本発明の目的である。
【課題を解決するための手段】
【０００６】
上記課題は、
透明基材の少なくとも片面側に粘着剤を塗布した遊技機封印用シールを遊技機における封印対象部位に貼り付けることにより当該封印対象部位を封印する遊技機の封印構造であって、
遊技機封印用シールが、透明基材の長手方向に沿った一部の区間がその側縁に凹部αを有するくびれ区間Ｓαとされて、透明基材のくびれ区間Ｓαにおける側縁に沿った箇所に着色部βが帯状に連続して設けられた状態のものでありながらも、透明基材のくびれ区間Ｓαにおける幅方向中央部に着色部βが設けられていない状態のものとされることにより、
遊技機封印用シールを封印対象部位から剥がそうとした際に、遊技機封印用シールがくびれ区間Ｓαで破断しやすくするとともに、
遊技機封印用シールがくびれ区間Ｓαで破断した後の状態にあっては、着色部βを目視することにより、遊技機封印用シールがくびれ区間Ｓαで破断したことを確認しやすくし、
遊技機を構成する一の部材を他の部材に固定する固定具を留めるために前記一の部材に設けられた固定穴に嵌め込まれた状態とされて前記固定穴の奥部における前記固定具が固定された箇所を封止するための封止部材を備え、
遊技機封印用シールが、そのくびれ区間Ｓαが封止部材の上側に重なり、その長手方向両端部が前記一の部材における前記固定穴の周辺部の上側に重なる状態で貼り付けられている
ことを特徴とする遊技機の封印構造
を提供することによって解決される。
【０００７】
このように、遊技機封印用シールにくびれ区間Ｓαを設けたことにより、遊技機用封引用シールを局所的に脆弱に形成し、不正行為の痕跡が残りやすいものとすることができる。また、それを工場等で正規に貼り付ける際には、くびれ区間Ｓαに大きな負荷が掛からないように遊技機封印用シールを取り扱えば、遊技封印用シールが破断しにくいため、その取り扱いも容易である。さらに、くびれ区間Ｓαに着色部βを設けたことにより、くびれ区間Ｓαの破断を視認しやすくなり、不正行為を発見しやすくすることもできる。
【０００８】
また、本発明の遊技機の封印構造においては、遊技機封印用シールで前記固定穴を封印する場合に、前記固定穴の奥部における前記固定具が固定された箇所を封止するための封止部材を前記固定穴に嵌め込んだ後、遊技機封印用シールを、そのくびれ区間Ｓαが封止部材に重なり、その長手方向両端部が前記一の部材における前記固定穴の周辺部に重なるように貼り付けるようにしている。この場合には、封止部材を前記固定穴から取り外すか破壊するかしない限りは、前記固定穴から前記固定具を取り外すことができなくなるところ、封止部材を前記固定穴から取り外そうとする際には、必ず遊技機封印用シールにおけるくびれ区間Ｓα周辺を剥がさなければならなくなる。この点、本発明の遊技機の封印構造では、不正アクセスの際に遊技機封印用シールがより確実に破断されるようにして、その痕跡を遊技機封印用シールにより残りやすくすることが可能となっている。
【０００９】
さらに、着色部βを、透明基材のくびれ区間Ｓαにおける側縁に沿った箇所に断続的に設けると、遊技機封印用シールの破断を視認しにくくなるおそれがあるところ、本発明の遊技機封の印用構造では、着色部βを、透明基材の少なくともくびれ区間Ｓαにおける側縁に沿った箇所に連続して設けているため、遊技機用封印シールの破断を視認しやすくなっている。
【００１０】
ここで、「透明基材」における「透明」とは、その表側から裏側を視認することができる程度の透明性を有しているという意味で用いており、無色透明だけでなく、有色透明をも含む概念である。遊技機封印用シールは、それによって封印された箇所に不正な細工が施された場合であっても、その細工を発見できるように、透明なものを使用することが推奨されている。このため、そのような細工の発見を阻害しない範囲であれば、透明基材の一部には、文字や図形等を記すこともできる。「着色部β」もその範囲内で設けられる。
【００１１】
また、「封印対象部位」とは、遊技機の特定機器（基板ユニット等）に対する不正なアクセスを制限するために、遊技機を構成する各部材（基板ユニットを覆うユニットカバー等）において封印する必要のある箇所のことを云う。封印対象部位としては、遊技機を構成する一の部材（基板ユニットを覆うユニットカバー等）と当該一の部材に固定される他の部材（基板ユニットを取り付けるユニットホルダ等）との境界部分のほか、前記一の部材を前記他の部材に固定する固定具（ネジ等）を留めるために前記一の部材に設けられた固定穴（ネジ穴等）が例示される。
【００１２】
上記の封止部材は、その形態を特に限定されるものではないが、その下端側から前記固定穴に挿入される筒状挿入部と、筒状挿入部の上端開口を塞ぐ蓋部とで構成されて、蓋部の中心部付近が薄肉部とされて破断されやすくしたものを用いると好ましい。このとき、遊技機封印用シールは、そのくびれ区間Ｓαが前記薄肉部の上側に重なる状態で貼り付けると好ましい。これにより、故障した部品を交換する場合等、不正にではなく正規に前記固定具を取り外す必要が生じた場合に、蓋部に設けた薄肉部を破壊して封止部材による封止を容易に解除できるようにする一方、その薄肉部が不正アクセスの際に使用された場合には、遊技機封印用シールにその痕跡が確実に残るようにすることが可能になる。
【００１３】
また、上記の封止部材は、上記の筒状挿入部及び蓋部に加えて、蓋部の外周部から外方へ突き出るフランジ部で構成されて、フランジ部の付根部に沿う破断溝によってフランジ部が破断されやすくしたものを用いると好ましい。このとき、遊技機封印用シールが、その凹部αから少なくとも前記破断溝の一部が露出する状態で貼り付けられていると好ましい。これにより、前記固定穴から封止部材を不正に取り外すことを目的として、前記固定穴の内周面と封止部材の蓋部の外周面との隙間にマイナスドライバ等の工具が挿し込まれた際に、封止部材のフランジ部が前記破断溝を起点として破断するようにして、その痕跡が封止部材に残りやすくすることが可能になる。このとき、前記破断溝の全体が遊技機封印用シールで覆われていると、前記破断溝を起点としたフランジ部の破断が遊技機封印用シールによって阻害されるおそれがあるが、前記破断溝の一部が凹部αから露出するようにしたことにより、フランジ部の破断が阻害されにくくすることが可能となっている。
【００１４】
ここで、「その下端側から前記固定穴に挿入」又は「筒状挿入部の上端開口」という記載における「下」又は「上」という語は、前記固定穴に対して封止部材を挿入する向き（前記固定穴の入口から奥部に向かう向き。図６におけるｙ軸方向正側。）を「下向き」とし、それとは逆向き（前記固定穴の奥部から入口に向かう向き。図６におけるｙ軸方向負側。）を「上向き」とした場合において、封止部材の各部の位置関係を相対的に表現するために便宜的に用いたものであり、封止部材を使用する向きを限定するものではない。「下」又は「上」という語が、封止部材を挿入する向きとの関係で各部の位置関係を相対的に表現するものであることについては、特に断りのない限り、以下においても同様である。
【００１５】
また、本発明の遊技機の封印構造において、凹部α及び着色部βは、透明基材の一方の側縁のみに設けられていてもよいが、透明基材の両側の側縁における対向する箇所にそれぞれ設けられていると好ましい。これにより、遊技機封印用シールを一方の側縁側のみからだけでなく両方の側縁側のいずれからであっても破断しやすいものとすることが可能になる。
【００１６】
さらに、本発明の遊技機の封印構造において、凹部αの形状は、特に限定されないが、凹部αの最深角部を「Ｖ」字形状等の尖った形状とすると、遊技機封印用シールが凹部αを起点として破断しやすくなるものの、遊技封印用シールを台紙から剥がしたり封印対象部位に位置合わせしたりする際にも破断しやすくなってしまい、遊技機封印用シールが取り扱いしにくいものとなってしまう。このため、凹部αの最深角部は、「Ｕ」字形状等、丸い形状とすると好ましい。
【発明の効果】
【００１７】
以上のように、本発明によって、封印対象部位に正規に貼り付ける際には破れにくく取り扱いが容易であるにもかかわらず、封印対象部位に貼り付けた状態から不正に剥がそうとした際には破れやすく不正行為を発見しやすい構造の遊技機封印用シールを用いた遊技機の封印構造を提供することも可能になる。
【図面の簡単な説明】
【００１８】
【図１】本発明に係る遊技機封印用シールをその非粘着面側から見た状態を示した平面図である。
【図２】本発明に係る遊技機封印用シールをその粘着面に垂直な平面で切断した状態を示した断面図である。
【図３】回胴式遊技機の全体を示した斜視図である。
【図４】図３の回胴式遊技機における基板ユニットを拡大して示した斜視図である。
【図５】本発明に係る遊技機封印用シールを用いて回胴式遊技機におけるユニットカバーに設けられたネジ穴を封印した状態を示した斜視図である。
【図６】図５のネジ穴周辺をネジ穴の中心線を含む平面で切断した状態を示した断面図である。
【発明を実施するための形態】
【００１９】
［１］  遊技機封印用シール
本発明に係る遊技機封印用シール１の好適な実施態様について、図面を用いてより具体的に説明する。図１は、遊技機封印用シール１をその非粘着面側から見た状態を示した平面図である。図２は、遊技機封印用シール１をその粘着面に垂直な平面で切断した状態を示した断面図である。図１は、遊技機封印用シール１から後述する台紙１３（第一剥離紙）及び第二剥離紙１４を剥がした後の状態を描いており、図２は、台紙１３（第一剥離紙）及び第二剥離紙１４を剥がす前の状態を描いている。
【００２０】
本発明に係る遊技機封印用シール１は、回胴式遊技機やパチンコ遊技機等の遊技機を構成する各部材のうち、不正行為を防止するために封印が必要となる箇所（封印対象部位）に貼り付けて使用することができるものとなっており、不正目的で封印対象部位から剥がそうとすると、破断してその痕跡が残るようになっている。
【００２１】
遊技機封印用シール１の平面視形状（後述する凹部αを除いた部分の平面視形状）は、所望の封印対象部位を封印できるのであれば、特に限定されないが、通常、矩形状とされる。本実施態様においても、図１に示すように、遊技機封印用シール１は、細長い矩形状（帯状）となっている。遊技機封印用シール１の平面視寸法は、特に限定されないが、その長さＬ１（図１）が、通常、１０〜１００ｍｍ程度、好ましくは、２０〜７０ｍｍ程度とされ、その幅Ｗ１（くびれ区間Ｓα以外の部分の幅。図１を参照。）が、通常、３〜３０ｍｍ程度、好ましくは、５〜１５ｍｍ程度とされる。本実施態様において、遊技機封印用シール１の長さＬ１は４５ｍｍとなっており、幅Ｗ１は幅１０ｍｍとなっている。
【００２２】
遊技機封印用シール１の長手方向に沿った一部の区間は、図１に示すように、その側縁に凹部αが形成されたくびれ区間Ｓαとなっている。このため、封印対象部位に貼り付けられた遊技機封印用シール１を剥がそうとすると、遊技機封印用シール１がくびれ区間Ｓαで破断されやすくなっており、不正アクセスの痕跡が残りやすくなっている。くびれ区間Ｓαを設ける箇所は、特に限定されないが、本実施態様においては、遊技機封印用シール１の長手方向に沿った中央区間をくびれ区間Ｓαとしており、遊技機封印用シール１が長手方向中央部付近で切断されやすくしている。
【００２３】
くびれ区間Ｓαの長さＬα（図１）は、遊技機封印用シール１の長さＬ１（図１）等によっても異なり、特に限定されないが、通常、長さＬ１の０．０５〜０．７倍程度、好ましくは、長さＬ１の０．１〜０．５倍程度とされる。また、くびれ区間Ｓαにおいて、凹部αは、遊技機封印用シール１の一方の側縁のみに設けてもよいが、本実施態様においては、遊技機封印用シール１の両側の側縁における対向する箇所に凹部αをそれぞれ設けている。このため、遊技機封印用シール１は、一方の側縁又は他方の側縁のいずれに外力が加えられても破断しやすいものとなっており、不正アクセスの痕跡がより残りやすいものとなっている。
【００２４】
くびれ区間Ｓαに設ける凹部αは、その形状を特に限定されるものではないが、通常、平面視三角形状とされる。凹部αの最深角部は、既に述べた通り、「Ｖ」字形状等、尖った形状としてもよいが、本実施態様においては、「Ｕ」字形状としており、丸く形成している。このため、遊技機封印用シール１は、封印対象部位に貼り付けられた状態からそれを剥がそうとした際には、凹部αを起点として破断しやすい一方、封印対象部位に貼り付けるためにそれを台紙１３（第一剥離紙）から剥がしたり封印対象部位に位置合わせしたりする際には、凹部αを起点として容易には破断しないようになっている。
【００２５】
それぞれの凹部αの深さＤα（図１）は、遊技機封印用シール１の幅Ｗ１（図１）等によっても異なり、特に限定されない。しかし、凹部αを浅くしすぎると、封印対象部位に貼り付けられた遊技機封印用シール１を不正目的で剥がそうとした際に、遊技機封印用シール１がくびれ区間Ｓαで破断されにくくなるおそれがある。このため、遊技機封印用シール１の幅Ｗ１に対する凹部αの深さＤαの比Ｄα／Ｗ１は、０．０５以上とすると好ましい。比Ｄα／Ｗ１は、０．１以上であるとより好ましく、０．１５以上であるとさらに好ましい。一方、凹部αを深くしすぎると、遊技機封印用シール１がくびれ区間Ｓαで破断されやすくなりすぎて取り扱いしにくいものとなるおそれがある。このため、比Ｄα／Ｗ１は、０．４以下とすると好ましい。比Ｄα／Ｗ１は、０．３５以下であるとより好ましく、０．３以下であるとさらに好ましい。本実施態様において、凹部αの深さＤαは２ｍｍとなっており、比Ｄα／Ｗ１は、０．２となっている。
【００２６】
それぞれの凹部αの最深角部の角度θ（図１）は、遊技機封印用シール１の材質等を考慮して適宜決定され、特に限定されない。しかし、凹部αの最深角部の角度θを小さくしすぎると、凹部αの最深角部を丸く形成しにくくなるおそれがある。このため、凹部αの最深角部の角度θは、１０°以上とすると好ましい。凹部αの最深角部の角度θは、３０°以上とするとより好ましく、５０°以上とするとさらに好ましく、７０°以上とするとさらに好ましい。一方、凹部αの最深角部の角度θを大きくしすぎると、遊技機封印用シール１が凹部αを起点として破断しにくくなるおそれがある。このため、凹部αの最深角部の角度θは、１５０°以下とすると好ましい。凹部αの最深角部の角度θは、１３０°以下とするとより好ましく、１１０°以下とするとさらに好ましい。本実施態様において、凹部αの最深角部の角度θは、約９０°となっている。
【００２７】
遊技機封印用シール１におけるくびれ区間Ｓαにおける両側の側縁に沿った箇所には、図１に示すように、着色部βが帯状に連続して設けられている。このため、遊技機封印用シール１がくびれ区間Ｓαで破断されると、例え、その破断部を繋ぎ合せて破断されていないように見せかけたとしても、着色部βを目視することにより、遊技機封印用シールがくびれ区間Ｓαで破断されていることを容易に発見できるようになっている。本実施態様において、着色部βを設けた区間Ｓβ（着色区間）は、くびれ区間Ｓαよりも長くなっており、着色区間ＳＢの中央部がくびれ区間Ｓβとなるようにしている。着色部βは、くびれ区間Ｓαにおいては、凹部αの縁に沿って湾曲して形成しており、くびれ区間Ｓα外の着色区間Ｓβでは、遊技機封印用シール１の側縁に沿って直線状に形成している。
【００２８】
それぞれの着色部βの幅Ｗβ（図１）は、遊技機封印用シール１の幅Ｗ１（図１）等によっても異なり、特に限定されない。しかし、着色部βの幅Ｗβを狭くしすぎると、着色部βが目立ちにくくなり、くびれ区間Ｓαでの破断を発見しにくくなるおそれがある。このため、遊技機封印用シール１の幅Ｗ１に対する着色部βの幅Ｗβの比Ｗβ／Ｗ１は、０．０３以上とすると好ましい。比Ｗβ／Ｗ１は、０．０５以上とするとより好ましく、０．０７以上とするとさらに好ましい。一方、着色部βの幅Ｗβを広くしすぎると、遊技機封印用シール１における不透明な部分が広くなりすぎて、遊技機封印用シール１が貼られた封印対象部位を視認しにくくなるおそれがある。このため、比Ｗβ／Ｗ１は、０．３以下とすると好ましい。比Ｗβ／Ｗ１は、０．２以下とするとより好ましく、０．１５以下とするとさらに好ましい。本実施態様において、比Ｗβ／Ｗ１は、約０．１となっている。
【００２９】
着色部βの色は、特に限定されないが、できるだけ明度の低い色とすると好ましい。というのも、後述するように、遊技機封印用シール１を合成樹脂で形成した場合には、遊技機封印用シール１に破断等の塑性変形が生じた場合に、その塑性変形が生じた場所が白くなるいわゆる「白化」という現象が生じるが、着色部βを明度の高い色（白色に近い色）とすると、遊技機封印用シール１が破断したときに着色部βに生ずる白化が目立ちにくくなり、破断の痕跡を視認しにくくなるおそれがあるからである。着色部βの明度（マンセル・カラ―・システムにおける明度）は、３以上とすると好ましく、５以上とするとより好ましく、７以上とするとさらに好ましい。
【００３０】
着色部βの色相は、特に限定されないが、緑系色（例えば、マンセル・カラ―・システムの色相環における５ＧＹ〜１０ＢＧに属する色相の色）、青系色（例えば、同色相環における１０ＢＧ〜１０ＰＢに属する色相の色）、紫系色（例えば、同色相環における５ＰＢ〜１０ＲＰに属する色相の色）又は赤系色（例えば、同色相環における５ＲＰ〜１０ＹＲに属する色相の色）等を好適に採用することができる。本実施態様において、着色部βは、緑系色としている。着色部βの彩度も特に限定されず、破断の痕跡を視認しやすい範囲で適宜決定される。
【００３１】
遊技機封印用シール１の層構成は、透明基材からなる層（透明基材層）と、透明基材の少なくとも片面側に設けられた粘着剤からなる層（粘着層）とを有するのであれば特に限定されない。本実施態様において、遊技機封印用シール１は、図２に示すように、透明基材１１と、透明基材１１の片面側に塗布された粘着剤１２とで構成している。遊技機封印用シール１における粘着剤１２が塗布された面（粘着面）には台紙１３（第一剥離紙）が粘着されており、遊技機封印用シール１における粘着面とは反対側の面（非粘着面）には第二剥離紙１４が貼付状態で設けられている。
【００３２】
台紙１３（第一剥離紙）と第二剥離紙１４は、遊技機封印用シール１を使用する際に剥がされる。これらの剥離紙のうち、台紙１３（第一剥離紙）は、粘着面の粘着力が低下しないように、透明基材１１に粘着剤１２を塗布した後に事後的に設けたものとなっている。これに対し、第二剥離紙１４は、透明基材１１を成形する材料を薄く引き延ばす際に当該材料の下側に予め敷いていたものとなっている。第二剥離紙１４は、透明基材１１を薄く成形するという製法上の理由で設けたものではあるが、遊技機封印用シール１が使用される前においては、遊技機封印用シール１の非粘着面が傷付かないように、非粘着面を保護する機能をも有している。
【００３３】
透明基材１１は、有色透明であってもよいが、本実施態様においては、無色透明としている。このため、遊技機封印用シール１が貼り付けられた封印対象部位を視認しやすくしながらも、着色部βを目立たせることが可能となっている。透明基材１１の成形材料は、透明性を有するものであれば特に限定されないが、通常、合成樹脂が用いられる。なかでも、ポリエチレンやポリプロピレン等のオレフィン系樹脂を好適に使用することができる。特に、ポリエチレンは、引張強さ等の機械的性質が強靭過ぎず、遊技機封印用シール１に適度な脆弱性を付与しやすいことに加えて、透明度を高めることも容易であるために好ましい。本実施態様においても、透明基材１１は、ポリエチレンによって形成している。
【００３４】
透明基材１１の厚さは、その成形材料によっても異なるが、薄くしすぎると、遊技機封印用シート１が脆弱になりすぎて取り扱いにくいものになるおそれがある。一方、透明基材１１を厚くしすぎると、遊技機封印用シート１が強靭になりすぎて破断されにくいものになるおそれがある。このため、上記のように、透明材料１１がオレフィン系樹脂で成形されたものである場合には、透明基材１１の厚さは、５〜５０μｍとすると好ましく、１０〜２０μｍとするとより好ましい。本実施態様において、透明基材１１の厚さは１５μｍとしている。
【００３５】
また、粘着剤１２としては、アクリル系粘着剤や、シリコーン系粘着剤や、ウレタン系粘着剤や、ゴム系粘着剤等の各種の粘着剤を使用することができる。なかでも、アクリル系粘着剤は、透明性に優れており、遊技機封印用シール１の透明性を阻害しないために好適に使用できる。本実施態様においても、粘着剤１２として、アクリル系粘着剤を使用している。粘着剤１２には、脂環族系石油樹脂やテルペン系樹脂等の粘着付与剤を添加することも好ましい。これにより、遊技機封印用シール１の粘着力をより高め、封印対象部位に貼り付けた遊技機封印用シール１を破断等の生じない綺麗な状態で剥がしにくくすることが可能になる。粘着剤１２を塗布する厚さは、特に限定されないが、通常、１５μｍ程度とされる。
【００３６】
さらに、台紙１３（第一剥離紙）及び第二剥離紙１４としては、紙に限定されず、一般的な粘着テープ等の剥離紙として用いられている各種素材（例えば樹脂シート等）を使用することができる。本実施態様においては、台紙１３（第一剥離紙）及び第二剥離紙１４として、いずれも、ポリエチレンテレフタレート製の樹脂シートを使用している。台紙１３（第一剥離紙）及び第二剥離紙１４の厚さは、特に限定されないが、通常、１０〜１００μｍ程度とされる。本実施態様においては、台紙１３（第一剥離紙）の厚さを２５μｍとしており、第二剥離紙１４の厚さを２５μｍとしている。
【００３７】
ところで、上述した着色部βは、通常、透明基材１１に印刷することによって設けられる。着色部βは、透明基材１１における非粘着面に印刷してもよいが、本実施態様においては、透明基材１１における粘着剤１２が塗布される面（粘着面となる面）に印刷している。というのも、本実施態様においては、上述したように、透明基材１１の成形時から、透明基材１１の非粘着面側には第二剥離紙１４が存在しているため、透明基材１１の非粘着面に着色部βを印刷しようとすると、第二剥離紙１４を剥がさなければならないからである。着色部βの印刷に用いるインクの種類は、特に限定されず、粘着テープ等の印刷において従来より用いられている各種インクを使用することができる。
【００３８】
遊技機封印用シール１には、着色部βのほか、文字や図形や記号等を、遊技機封印用シール１の透明性を阻害しない範囲（遊技機封印用シール１が貼られた封印対象部位を視認することができる範囲）で印刷する場合もあるが、これらの文字等も、着色部βと同様の方法で透明基材１１に印刷することができる。
【００３９】
［２］  遊技機の封印構造
続いて、上記の遊技機封印用シール１を用いた遊技機の封印構造の好適な実施態様について、図面を用いてより具体的に説明する。既に述べた通り、本発明に係る遊技機封印用シール１は、回胴式遊技機やパチンコ遊技機等の遊技機に使用することができる。以下においては、説明の便宜上、回胴式遊技機を例に挙げて説明するが、以下で述べる内容は、パチンコ遊技機等、回胴式遊技機以外の遊技機においても採用することができる。
【００４０】
図３は、回胴式遊技機５の全体を示した斜視図である。図４は、図３の回胴式遊技機５における基板ユニット５５を拡大して示した斜視図である。回胴式遊技機５は、図３に示すように、本体５１ａ及び前扉５１ｂからなる筺体５１の内部に、リール５２や、ホッパー装置５３や、電源ユニット５４や、基板ユニット５５や、液晶ユニット５６や、コネクタユニット５７等の各種機器が収容されたものとなっている。
【００４１】
回胴式遊技機５を構成する上記機器のうち、基板ユニット５５は、回胴式遊技機５を制御するためのプログラムが記録された記憶装置（ＲＯＭ）が搭載された制御基板を有している。この記憶装置が偽造されたものに交換されると、特定の操作を行うと必ず大当たりになるようにする等、悪意のある遊技者に不正な遊技を許してしまう。このため、基板ユニット５５は、その記憶装置が不正に交換されないように、又は、その記憶装置が不正に交換されたとしても発見できるように封印する必要がある。したがって、基板ユニット５５は、透明なカバー等で覆った構造とされることが多い。カバー等を透明とする理由は、上述した「透明基材」と同様、それによって覆われた箇所に不正な細工が施された場合であっても、その細工を発見できるようにするためである。
【００４２】
本実施態様において、基板ユニット５５は、図４に示すように、記憶装置（図示省略）を搭載した制御基板（図示省略）を基板カバー５５ｃに装着して、基板カバー５５ｃをユニットホルダ５５ａ内に収容し、ユニットホルダ５５ａにおける前記制御基板が収容された箇所を、ユニットカバー５５ｂで覆った構造としている。ユニットカバー５５ｂは、その所定箇所に設けたネジ穴５５ｂ１にネジを螺合することにより、ユニットホルダ５５ａに対して固定することができるようになっている。ユニットホルダ５５ａ、ユニットカバー５５ｂ及び基板カバー５５ｃは、いずれも透明な合成樹脂で成形されたものとなっている。
【００４３】
本発明に係る遊技機封印用シール１は、上記の各種機器のうち、回胴式遊技機５における基板ユニット５５や、電源ユニット５４や、液晶ユニット５６や、コネクタユニット５７等の各種機器を封印する際に好適に使用することができる。なかでも、基板ユニット５５は、上述したように、不正行為の対象となりやすいため、本発明の遊技機封印用シール１を好適に使用することができる。
【００４４】
本発明に係る遊技機封印用シール１で基板ユニット５５に封印する場合には、前記制御基板と前記記憶装置とに跨るように遊技機封印用シール１を貼り付けることも可能ではあるが、前記制御基板や前記記憶装置は、発熱して高温になるため、これらの部材に遊技機封印用シール１を直接的に貼り付けると、熱によって遊技機封印用シール１がダメージを受けやすくなる。加えて、前記記憶装置を交換することなく前記制御基板の配線を不正に変更するといった類の不正行為を防止することができない。このため、遊技機封印用シール１は、ユニットホルダ５５ａやユニットカバー５５ｂや基板カバー５５ｃに貼り付けると好ましい。これにより、ユニットカバー５５ｂ等で覆われた全ての機器に対する不正行為を少ない封印箇所で防止することができる。
【００４５】
遊技機封印用シール１をユニットホルダ５５ａやユニットカバー５５ｂや基板カバー５５ｃに貼り付ける場合には、遊技機封印用シール１は、例えば、ユニットホルダ５５ａとユニットカバー５５ｂとの境界部や、ユニットカバー５５ｂと基板カバー５５ｃとの境界部で、双方の部材に跨るように貼り付けてもよいが、ユニットカバー５５ｂに設けられたネジ穴５５ｂ１を封印すると、基板ユニット５５をより効率的に封印することができる。以下の説明も、ユニットカバー５５ｂ（一の部材）に設けたネジ穴５５ｂ１（固定穴）に封印する場合（図４における破線部で囲まれたネジ穴５５ｂ１に遊技機封印用シール１を貼り付けた場合）を想定したものとなっている。
【００４６】
図５は、本発明に係る遊技機封印用シール１を用いて回胴式遊技機５におけるユニットカバー５５ｂのネジ穴５５ｂ１を封印した状態を示した斜視図である。図６は、図５のネジ穴５５ｂ１の周辺をネジ穴５５ｂ１の中心線を含む平面で切断した状態を示した断面図である。本実施態様においては、図５及び図６に示すように、ネジ穴５５ｂ１（固定穴）に封止部材２が嵌め込まれており、遊技機封印用シール１は、その長手方向中央部のくびれ区間Ｓαが封止部材２に重なり、その長手方向両端部がユニットカバー５５ｂ（一の部材）におけるネジ穴５５ｂ１の周辺部に重なるように貼り付けている。封止部材２は、ネジ穴５５ｂ１を封止するためのものとなっている。したがって、封止部材２をネジ穴５５ｂ１から取り外すか破壊しない限りは、ネジ穴５５ｂ１の奥部で固定されたネジ（図示省略）の頭部にアクセスすることができないようになっている。
【００４７】
本実施態様において、封止部材２は、図６に示すように、その下端側からネジ穴５５ｂ１に挿入される筒状挿入部２１と、筒状挿入部２１の上端開口を塞ぐ蓋部２２と、蓋部２２の外周部から外方へ突き出るフランジ部２３と、筒状挿入部２１の外周部におけるフランジ部２３が設けられた箇所よりも下側に所定間隔を隔てた箇所から外方に突出して設けられたストッパー用突起２４と、ネジ穴５５ｂ１に挿入された筒状挿入部２１をネジ穴５５ｂ１の内周部に係合させるための係合部２５とを備えたものとなっている。
【００４８】
フランジ部２３の付根部に沿った部分には、図５に示すように、破断溝２３ａが環状に形成されている。この破断溝２３ａは、不正目的で、ネジ穴５５ｂ１の内周面とフランジ部２３の外周面との隙間Ｇにマイナスドライバ等の工具が挿し込まれて係合部２５（図６）が解除されようとした場合等に、フランジ部２３を破断させるための部分となっており、その不正行為の痕跡を封止部材１に残すための部分となっている。
【００４９】
破断溝２３ａは、フランジ部２３の下面側に形成してもよいが、本実施態様においては、図６に示すように、フランジ部２３の上面側に形成している。これにより、隙間Ｇに前記工具が挿し込まれた際に、フランジ部２３の付根部分をより確実に破断させることが可能になる。というのも、隙間Ｇに前記工具を挿し込むと、フランジ部２３は、その先端部分（外縁部）が下側に押し込まれた状態となるため、フランジ部２３の付根部分の下面側が圧縮され、フランジ部２３の付根部分の上面側が引っ張られた状態となりやすいが、引っ張られた状態となる上面側に破断溝２３ａを形成しておくと、その破断溝２３ａを起点としてフランジ部２３の付根部分が破断しやすくなるからである。
【００５０】
また、ストッパー用突起２４は、封止部材２をネジ穴５５ｂ１に嵌め込む際に、フランジ部２３がネジ穴５５ｂ１の座ぐり面５５ｂ２に当接して破断しないようにするためのものとなっている。すなわち、ストッパー用突起２４は、フランジ部２３の代わりに座ぐり面５５ｂ２に当接することで、それ以上、封止部材２がネジ穴５５ｂ１の奥部に入り込まないようにするための部分となっている。このため、ストッパー用突起２４は、フランジ部２３よりも厚く形成される等、上下方向（封止部材２の挿入方向）の外力に対してフランジ部２３よりも強度の高い構造とされる。ストッパー用突起２４は、筒状挿入部２１の外周部における全周に設けてもよいし、一部の区間のみに設けてもよい。
【００５１】
さらに、蓋部２２の中央部には、蓋部２２における他の部分よりも薄くされた薄肉部２２ａが設けられている。この薄肉部２２ａは、基板ユニット５５（図５）内の故障した部品等を交換するために、不正目的ではなく正規にネジを取り外す必要が生じた場合に、その部分を破壊することにより、ネジ穴５５ｂ１の奥部のネジにアクセス可能とするための部分となっている。遊技機封印用シール１は、そのくびれ区間Ｓαが、封止部材２の蓋部２２におけるこの薄肉部２２ａに重なるように貼り付けると好ましい。これにより、不正目的で薄肉部２２ａが破壊された場合には、遊技機封印用シール１にその痕跡がより確実に残るようにすることが可能になる。
【００５２】
封止部材２は、遊技機封印用シール１と同様の理由で、通常、透明材料によって形成される。封止部材２を形成する具体的な材料は、特に限定されないが、合成樹脂を使用すると好ましい。これにより、封止部材２を射出成形等によって、成形性よく成形することが可能になる。加えて、合成樹脂は、上述したように、破断等の塑性変形が生じた場合には白化を生じるため、封止部材２に形成された不正アクセスの痕跡を視認しやすくなるという利点もある。封止部材２を形成する合成樹脂としては、ＡＢＳ樹脂や、ポリエチレンテレフタレートや、ポリスチレンや、アクリル等が例示される。
【００５３】
本発明に係る遊技機封印用シール１は、上述したように、ネジ穴５５ｂ１に上記の封止部材２を嵌め込む場合に特に好適に使用できるものとなっている。というのも、破断溝２３ａの全体が遊技機封印用シール１で覆われてしまうと、破断溝２３ａを起点としたフランジ部２３の破断が遊技機封印用シールによって阻害されるおそれがあるところ、本発明に係る遊技機封印用シール１では、くびれ区間Ｓαに凹部αを設けたことにより、破断溝２３ａの一部を凹部αから露出させた状態で貼り付けることが可能であり、遊技機封印用シール１がフランジ部２３の破断を阻害しないようにすることが可能なためである。
【符号の説明】
【００５４】
１      遊技機封印用シール
１１      透明基材（透明基材層）
１２      粘着剤（粘着層）
１３      台紙（第一剥離紙）
１４      第二剥離紙
２      封止部材
２１      筒状挿入部
２２      蓋部
２２ａ    薄肉部
２３      フランジ部
２３ａ    破断溝
２４      ストッパー用突起
２５      係合部
５      回胴式遊技機
５１      筺体
５１ａ    本体
５１ｂ    前扉
５２      リール
５３      ホッパー装置
５４      電源ユニット
５５      基板ユニット
５５ａ    ユニットホルダ（他の部材）
５５ｂ    ユニットカバー（一の部材）
５５ｂ１  ネジ穴（固定穴）
５５ｂ２  座ぐり面
５５ｃ    基板カバー
５６      液晶ユニット
５７      コネクタユニット
Ｄα    凹部の深さ
Ｇ      ネジ穴の内周面とフランジ部の外周面との隙間
Ｌ１    遊技機封印用シールの長さ
Ｌα    くびれ区間の長さ
Ｓα    くびれ区間
Ｓβ    着色区間
Ｗ１    遊技機封印用シールの幅
Ｗβ    着色部の幅
α      凹部
β      着色部
θ      凹部の最深角部の角度
【図１】
0005952861.tif 000002
【図２】
0005952861.tif 000003
【図３】
0005952861.tif 000004
【図４】
0005952861.tif 000005
【図５】
0005952861.tif 000006
【図６】
0005952861.tif 000007